(57)【要約】      （修正有）【課題】ハードウェア機種とソフトウェア処理との間の制限をなくし、どのハードウェア機種でも所望のソフトウェア処理が手軽に利用でき、その調整を自動化するための記憶媒体およびこれを含むコンピュータシステムを提供する。【解決手段】情報を記憶するディスク部３と情報を処理する電子回路部２とを有するインテリジェントディスク１で、前記ディスク部は外部システムで使用される複数のシステムプログラムを記憶し、前記電子回路部は、前記外部システムとマッチする前記ディスク部に記憶されるシステムプログラムを選別する。また、前記ディスク部又は電子回路部は、前記システムプログラムを前記外部システムにマッチさせるエミュレータを更に有する。【選択図】図４
2006179024.tif 000002
【特許請求の範囲】
【請求項１】
固有のＯＳ情報と、前記固有のＯＳを予め定めたシステムで実行するための複数のエミュレータが記憶されている情報記憶部と情報を処理する電子回路部とを有する記憶媒体と、該記憶媒体を着脱可能で自機種用のＯＳで動作するコンピュータとを含むコンピユータシステムにおいて、
前記コンピュータへの前記記憶媒体の装着に応答して、前記電子回路部では、前記情報記憶部から読み出した前記固有のＯＳ情報を前記コンピュータ側に送出し、前記コンピュータ側では、前記固有のＯＳへの変更指示があった場合には、前記固有のＯＳ用のエミュレータの存在の有無をチェックし、存在すれば、前記記憶媒体から前記固有のＯＳ情報を読み出して実行し、存在しなければ、前記記憶媒体から前記固有のＯＳに適合するエミュレータを読み出して前記固有のＯＳを実行することを特徴とするコンピュータシステム。
【発明の詳細な説明】
【技術分野】
【０００１】
本発明は、電子回路を有する記憶媒体、およびこの記憶媒体を含むコンピュータシステムに関するものである。
【背景技術】
【０００２】
従来、コンピュータシステムにおいては、ハードウェアとしての機種とソフトウェアとしてのＯＳとを対応させて開発してきたため、１つの機種でユーザが所望とする複数のＯＳが走ること又は同じＯＳが複数のメーカーの機器で走ることは希であった。
【０００３】
最近ではエミュレータを介することにより、異なるＯＳが相互に走っているかのように見せることも可能となってきた。しかしながら、ＯＳの変更等を行うには、予めシステム内にエミュレータをロードしておくか、指定されたディスクからエミュレータやＯＳを読み込んだりしなければならず、またその他種々の制限もあって、手軽に所望のＯＳに変更して走らせるといった状態ではなかった。
【０００４】
以上はＯＳの例を示したが、ハードウェアの条件や環境とソフトウェアとの対応という広い視点からも、種々の制限やユーザへの負担がある。
【発明の開示】
【発明が解決しようとする課題】
【０００５】
本発明は、前記従来の欠点を除去し、ハードウェア機種とソフトウェア処理との間の制限をなくし、どのハードウェア機種でも所望のソフトウェア処理が手軽に利用でき、その調整を自動化するための記憶媒体およびこれを含むコンピュータシステムを提供する。
【課題を解決するための手段】
【０００６】
前述の課題を解決するため本発明は、以下のような特徴的な構成を採用している。
固有のＯＳ情報と、前記固有のＯＳを予め定めたシステムで実行するための複数のエミュレータが記憶されている情報記憶部と情報を処理する電子回路部とを有する記憶媒体と、該記憶媒体を着脱可能で自機種用のＯＳで動作するコンピュータとを含むコンピユータシステムにおいて、
前記コンピュータへの前記記憶媒体の装着に応答して、前記電子回路部では、前記情報記憶部から読み出した前記固有のＯＳ情報を前記コンピュータ側に送出し、前記コンピュータ側では、前記固有のＯＳへの変更指示があった場合には、前記固有のＯＳ用のエミュレータの存在の有無をチェックし、存在すれば、前記記憶媒体から前記固有のＯＳ情報を読み出して実行し、存在しなければ、前記記憶媒体から前記固有のＯＳに適合するエミュレータを読み出して前記固有のＯＳを実行するコンピュータシステム。
【発明の効果】
【０００７】
本発明により、ハードウェア機種とソフトウェア処理との間の制限をなくし、どのハードウェア機種でも所望のソフトウェア処理が手軽に利用でき、その調整を自動化するための記憶媒体およびこれを含むコンピュータシステムを提供できる。
【実施例】
【０００８】
以下、添付図面に従って、本発明の実施の形態の数例を説明する。
＜本実施の形態のＩＤ及びＩＤシステムの構成例＞
図１は、本実施の形態のＩＤの一種であるインテリジェント・光ディスクの外観図である。
【０００９】
ＩＤ１は、情報を記憶するディスク面であるディスク部３と、例えば図１のように、その中央部に搭載されたインテリジェント回路部２とから成る。ここで、図１では回路部２をディスクの中央部に配置したが、ディスクの片面を専有したり、複数層にディスクを製造してその中の層に配置したり等、その配置には特に限定はない。
【００１０】
図２はＩＤ１を含むコンピュータシステムの構成の概念を示した図である。図中、前記インテリジェント回路部２は、固定情報を記憶するＲＯＭ２２と、必要であれば更に一時記憶としてのＲＡＭ２３と、ＲＯＭ２２やＲＡＭ２３に格納されたプログラムを実行するＣＰＵ２１とを含んでいる。２４はＩＤ側が独立して電源を持つ場合に必要な光電池である。
【００１１】
インテリジェント回路部２は、システム・インタフェース２６を介して、外部装置と情報のやり取りをする。インタフェースの接点は、接触型でも非接触型であってもよく、またバス結合であっても通信結合であってもよい。通信としては、電波通信や光通信等が考えられる。更に、本実施の形態のＩＤ１は無線通信部２５を有しており、外部への情報の伝達が必要な場合、あるいは外部からのデータやプログラムのロードが必要な場合等に、オートコールを行う機能も有している。
【００１２】
一方、１０は市販のパーソナル・コンピュータシステムである。該システムは、プロセッサ部として、固定情報を記憶するＲＯＭ１３と、必要であれば更に一時記憶としてのＲＡＭ１３と、ＲＯＭ３２やＲＡＭ１４に格納されたプログラムを実行するＣＰＵ１２とを有し、常備の要素としては、本例のＩＤのディスク部３からのデータの読み出し（書き込み）を実行するピックアップや該ピックアップの駆動回路等を含む光ディスクドライブユニット１１と、現在のシステムの情況あるいは情報を表示する表示部１７（ＬＣＤが好ましい）と、ユーザの指示を入力するキーボード１５（これは表示部１７上のタッチパネルに置き代えられる）と、同様にユーザの指示を入力するマウス１６（携帯用パソコンにおいては省く）等がある。
【００１３】
更に、プログラムやデータを記憶するバッファメモリとしてのハードディスク２０と、転送を独立に高速で行うためのダイレクトメモリアクセス・コントローラ（ＤＭＡＣ）２１と、ハードコピー出力用のプリンタ１８と、無線通信あるいはＬＡＮへの接続を行う通信部１９と、ＩＤの説明でも述べた接続用のＩＤインタフェース２２とがある。
【００１４】
尚、上記説明では、一応パソコンとして使用できるためのセットとして説明したが、例えば、表示部１の表示のみ、プリンタ７からのプリント出力のみ、ハードディスク１６への情報の保存のみ、などの専用機器を考えてもよい。しかし、この場合にも光ディスクドライブユニット１１は常に必須要素である。この場合、従来機器を改良する場合には、ＩＤインタフェース１２とシステム・インタフェース２４とを介してシステム側とＩＤ側とのマッチングを取るようにする必要があるが、将来的にはインタフェース（バス結合の場合も）は標準化してどのシステムとどのＩＤもが容易に結合できるのが好ましい。
【００１５】
＜本実施の形態のパーソナルコンピュータへの適用例１＞
図３は、１つのパーソナル・コンピュータシステムで、異なるシステムプログラム（ＯＳ）を実行する場合の、ＩＤ１の記憶内容を示す例である。本例では複数のＩＤ（ＩＤ−１、ＩＤ−２、…）があり、各ＩＤには固有のＯＳ（ＯＳ−１、ＯＳ−２、…）が記憶され、この固有のＯＳを種々のシステムで実行するための複数のエミュレータが記憶されている。例えば、ＩＤ−１にはＯＳ−１をシステムＡで実行するためのエミュレータ１Ａ、システムＢで実行するためのエミュレータ１Ｂ等が記憶され、ＩＤ−２にはＯＳ−２をシステムＡで実行するためのエミュレータ２Ａ、システムＢで実行するためのエミュレータ２Ｂ等が記憶されている。
【００１６】
尚、本例において、システムＡ又はシステムＢはそれぞれ自機種用のＯＳ（ＯＳ−Ａ、ＯＳ−Ｂ、…）で動作しており、この自機種用のＯＳに基づいて他のＯＳを擬似的に実現する。図４は、本例（システムＡの例）におけるＩＤの回路部／ディスク部とシステムＡとの動作例を示す図である。
【００１７】
先ず、ＯＳ−Ａで走っているシステムＡは、ステップＳ４１でＩＤ１の挿入をチェックしている。このチェックは定期的に行っても良いが、インタラプト処理が好ましい。ＩＤ１が挿入されるとステップＳ４２に進んで、ＩＤ１が何のＩＤであるかを問い合わせる。ＩＤの回路部２は、ステップＳ５１でシステムよりの問い合わせを待ち、問い合わせがあるとステップＳ５２に進んで、ＲＯＭ２２（ＲＡＭ２３）に格納されている前述のディスク部３の記憶内容の一覧を返送する。この時に、例えば、ディスク部３上のフォーマット等が異なるのであれば、それも回路部２よりシステムＡに伝達される。このように、本例はシステム機器の標準化が遅れている場合に有効な方法である。
【００１８】
システムＡは、ステップＳ４３でＩＤの回路部２からの応答を待って、応答があるとステップＳ４４に進んで、表示部１７に回路部２から返送された一覧を表示する。ユーザがＯＳの変更を望まない場合は、ステップＳ４５から抜けてそのまま終了する。ユーザがＯＳの変更を望む指示がある場合は、ステップＳ４６に進んで、システムＡ上にＩＤ上の選択されたＯＳ（ＯＳ−１、ＯＳ−２）用のエミュレータがあるか否かをチェックする。有ればステップＳ４８に進んでＩＤ上の所望のＯＳを読み出し、読み出しがＯＫであればステップＳ４９からＳ５０に進んで、ＯＳの変更を実施する。システムＡ上にエミュレータが無い場合は、ステップＳ４７でＩＤより適応するエミュレータをＯＳと共に読み出し、ＯＳの変更を実施する。
【００１９】
尚、本例では図示されていないが、所望のエミュレータがない場合に、ＩＤの通信制御回路２５からソフトウェア提供会社にオートコールを行って、ダウンロードするようなサービスも可能である。叉、上記例では、エミュレータをディスク部３に格納したが、回路部２のＲＯＭ２２やＲＡＭ２３に格納しておいてもよい。
【００２０】
＜本実施の形態のパーソナルコンピュータへの適用例２＞
図５は、１つのＩＤにより複数の異なるパーソナル・コンピュータシステムの立ち上げを可能とする場合の、ＩＤの記憶内容を示す例である。ここで、システムＡ，システムＢ，…，システムＮは異なるＯＳ（ＯＳ−Ａ，ＯＳ−Ｂ，…ＯＳ−Ｎ）で動作するシステムである。
【００２１】
ＩＤのディスク部３には、ディレクトリのポイント位置に各システムで使用するＯＳ−Ａ、ＯＳ−Ｂ、…、ＯＳ−Ｎが格納されている。また、ＩＤの回路部２にあるＲＯＭ２２（ＲＡＭ２３）には、システムを起動するためのシステム起動プログラム、ディスク部の内容を示すテーブル、各システムを起動するためにそれぞれのシステムで必須のパラメータ（パラメータＡ、パラメータＢ、…）が格納されている。
【００２２】
尚、本例は、上記例に比較して各システム機器の標準化が進んだ場合に適用される方法である。図６Ｒ>６は、本例においてシステムＡを立ち上げる手順例を示した図である。尚、システムは初期の停止状態である。先ず、ＩＤの回路部２はステップＳ６１でＩＤ１がドライブに挿入されたか否かをチェックする。挿入されたならばステップＳ６２に進んで、挿入されたドライブが繋がっているシステムのメーカー、機種、バージョン等をチェックする。システムのチェックでシステム起動に必要な情報が得られれば、ステップＳ６３からＳ６４に進んで、ディスク内容テーブルを参照して対応するＯＳ（本例ではＯＳ−Ａ）の読み出しを、光ディスクドライブユニット１１に指示する。この場合にＤＭＡＣ２１を有するシステムであればこれを使用する。
【００２３】
ディスク部３から光ディスクドライブユニット１１により、ハードディスク２０又はＲＡＭ１４にＯＳが読み出されると、回路部２は読み出し完了を待って、ステップＳ６５からＳ６６に進み、システムに対応するパラメータをＲＡＭ１４、あるいはＣＰＵ１２のレジスタ等にセットして、ステップＳ６７でＣＰＵ１２に対してシステムの起動を指示する。
【００２４】
以上のような手順により、１枚のＩＤ１により種々のシステムをそのシステムに対応するＯＳで立ち上げることができる。以上２つの例では、ＩＤがシステムの周辺機器の１つとしての機能しかない場合の例と、ＩＤが主動的にシステムを立ち上げる例との両極端を示したが、システム機器の標準化の程度等により、この間の種々のＩＤとシステムとの役割の振り分けが考えられる。
【００２５】
＜本実施の形態のプリンタが接続されるコンピュータシステムへの適用例＞
図７は、異なる特徴を有するプリンタ（プリンタＡ，プリンタＢ，…）が接続可能なシステムや、プリントの条件（サイズや階調，プリント内容等）や環境条件（温度，湿度等）により微妙な調整が必要な高品質プリンタが接続されたシステムにおけるパラメータ調整用ＩＤの記憶内容を示す図である。
【００２６】
ＩＤのディスク部３には、ディレクトリのポイントする位置に、プリンタＡ用の条件によって異なるパラメータ（パラメータＡ１，Ａ２…）と、プリンタＢ用のパラメータ（パラメータＢ１，Ｂ２…）とが記憶されている。一方、ＩＤの回路部２のＲＯＭ２２（ＲＡＭ２３）には、条件に基づきどのパラメータを選択するかを格納したパラメータ選別テーブルと、選別されたパラメータを設定するプログラム等が記憶されている。
【００２７】
図８は、本例におけるパラメータ変更の手順例を示す図である。前提として、プリンタＡから異機種のプリンタＢへの変更等においては、コンピュータシステム内のプリンタドライバが変更される手順が必要なことは当然である。本例は、特にその後の微妙なプリント状態の調整に関するものである。先ず、ＩＤ側の回路部２は、ステップＳ８１でドライブへの挿入をチェックし、挿入されればステップＳ８２に進んで、プリント条件のデータをシステム１０に要求する。
【００２８】
システム１０側は、ＩＤ１からの要求をインタラプトとして受け取り、インタラプト処理ルーチンに入り、ステップＳ９１でユーザによりプリント条件が設定できる設定画面を表示部１７に表示する。設定が完了するとステップＳ９２からＳ９３に進んで、プリンタ機種等の情報と共にユーザが設定したプリント条件や環境条件等をＩＤ１に送る。
【００２９】
ＩＤ１では、システム１０からの応答を待って、ステップＳ８３からＳ８４に進み、応答情報からパラメータ選別テーブルを参照して、現在の条件を総合して最も適合するパラメータを選別し、ステップＳ８５でそのパラメータが格納されているディスク上のアドレス、あるいはその識別子をシステム１０に送る。システム１０では、ＩＤ１からの応答を待って、ステップＳ９４からＳ９５に進み、ディスク部３からは指示されたパラメータを読み出し、読み出しが完了するとステップＳ９６からＳ９７に進んで、読み出したパラメータを、例えばプリンタドライバ内やプリンタドライバをコントロールするプログラムに渡したり又はプリンタへのダウンロード等を行って、プリント条件の変更が可能なソフトウェアに組み込み、インタラプトルーチンからリターンする。
【００３０】
＜本実施の形態のデジタルカメラシステムへの適用例＞
図９は、デジタルカメラで撮影された画像情報をパーソナルコンピュータ等のコンピュータシステムへ転送するために使用されるＩＤ内での、記憶内容例を示す図である。ＩＤのディスク部３には、ディレクトリのポイントする位置に、デジタルカメラで取り込んだ画像データが時刻順に並んで格納されている。一方、ＩＤの回路部２には、画像データのオーバーライトによりコンピュータ内でデータが失われないように、画像識別子を制御するための画像識別子制御データが記憶されている。
【００３１】
図１０は、本例におけるパーソナル・コンピュータシステムとＩＤ間での処理手順を示した図である。システム１０は、ステップＳ１１１でＩＤ１の挿入を待つ。ＩＤ１の挿入があるとステップＳ１１２に進んで、上記識別子制御データを読み出す。ＩＤ１例では、ステップＳ１０１でこの読み出しのアクセスを待ち、アクセスがあるとステップＳ１０２で識別子制御データを返送する。
【００３２】
システム１０は、ステップＳ１１３でＩＤ１からのデータを受けるとステップＳ１１４に進んで、既にシステム１０内に格納されている画像データの識別子制御データと比較する。尚、識別子制御データとしては、日時の情報や、ユーザがカメラを操作して入力する情報等が考えられるが、各画像データに固有の識別子を持たせるものであれば何でも良い。
【００３３】
システム１０は、識別子制御データが異なる場合は、例えディスク部３に記憶された画像データの識別子が既にシステム１０内に格納されている画像データの識別子と同じであろうと、既に記憶されている領域とは異なる記憶領域を確保して、オーバーライトにより画像データの喪失がないようにする。もし、識別子制御データが同じであれば、記憶領域は変更しない。
【００３４】
ステップＳ１１６で、ＩＤのディスク部３から画像データを読み出し、ステップＳ１１７でシステム１０内に格納するが、識別子制御データが同じ場合は上書きをし、異なる場合は前のデータを保存して別の領域に書き込むように制御される。以上のようなＩＤにより、コンピュータ業界はＣＰＵとＯＳの寡占支配から開放され、それぞれのソフトに最も適したＣＰＵを内蔵したＩＤがソフトメーカーから売り出されることになる。また、ハードメーカにとっても、ＣＰＵの頻繁な改良に伴い年間３〜４回もモデルチェンジを強いられ、利益を生まない事業になっている現状から脱出できることになる。
【００３５】
ユーザにとっても、ＩＤは利便性を大いに向上させる。例えば、既存のソフトはＣＤ−ＲＯＭ等から一旦ハードディスクにコピーしなければ使い勝手が悪いことから、ハードディスクの容量がすぐに満杯になり、ハードディスクの増設やコンピュータ自体を買い換えなければならなかったが、ＩＤであればその必要はなくなる上に、取り付けや取り外しに伴うトラブルも回避できる。
【００３６】
即ち、ＩＤによれば、ＣＰＵの改良といった仕様の変化等に柔軟に対応が可能になると共に、ＯＳやフォーマットの違いによるハードの互換性の不備といったユーザの利便性を著しく損ねるような事態を回避することができる。ＩＤを用いることにより、従来コンピュータそのものと見なされたハードが単あるマン・マシン・インタフェース（いわばディスプレイとキーボード等を組み合わせたもの）に過ぎない存在になり、ＴＶやＶＴＲのような家電即ち耐久消費財とし位置づけられることになり、ユーザにとっての利便性が大幅に向上すると共にメーカーにとってもデザインや機能面で工夫を凝らす方向で付加価値を高めることになる。
【００３７】
更に、現在コンピュータの廃棄物処理が社会的問題となりつつあるが、これは、平均３ヶ月で陳腐化するコンピュータ業界の異常なまでのモデルチェンジによってもたらされた問題でもあり、ＩＤはその原因を取り除き、寡占支配からコンピュータ業界を解放し、ユーザの利便性を大いに高めるものである。
【図面の簡単な説明】
【００３８】
【図１】本実施の形態のＩＤの一種であるインテリジェント・光ディスクの外観図である。
【図２】ＩＤを含むコンピュータシステムの構成の概念を示した図である。
【図３】パーソナルコンピュータへの適用例１でのＩＤの記憶内容例を示す図である。
【図４】図３の例におけるＩＤの回路部／ディスク部とシステムとの動作例を示す図である。
【図５】パーソナルコンピュータへの適用例２でのＩＤの記憶内容例を示す図である。
【図６】図５の例におけるＩＤの回路部／ディスク部とシステムとの動作例を示す図である。
【図７】プリンタを有するコンピュータへの適用例でのＩＤの記憶内容例を示す図である。
【図８】図７の例におけるＩＤの回路部／ディスク部とシステムとの動作例を示す図である。
【図９】デジタル画像を処理するコンピュータへの適用例でのＩＤの記憶内容例を示す図である。
【図１０】図９の例におけるＩＤの回路部／ディスク部とシステムとの動作例を示す図である。
【図１】
2006179024.tif 000003
【図２】
2006179024.tif 000004
【図３】
2006179024.tif 000005
【図４】
2006179024.tif 000006
【図５】
2006179024.tif 000007
【図６】
2006179024.tif 000008
【図７】
2006179024.tif 000009
【図８】
2006179024.tif 000010
【図９】
2006179024.tif 000011
【図１０】
2006179024.tif 000012
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
情報記憶部と電子回路を有する記憶媒体がコンピュータに装着されるコンピュータシステムであって、
前記情報記憶部は、固有のＯＳと、該固有のＯＳを特定のコンピュータ機種で実行できるようにするためのエミュレータであって、前記複数のコンピュータ機種のそれぞれに適合する複数のエミュレータ及び前記記憶媒体のフォーマットを記憶し、
前記電子回路は、情報処理手段と、前記情報記憶部の内容の一覧を保持するメモリを有し、
前記コンピュータへの前記記憶媒体の装着時に、前記情報処理手段は前記メモリから読み出した一覧を前記コンピュータに送出し、前記コンピュータが前記一覧を表示することに応答し、固有のＯＳへの変更指示があったとき、自機種に適合するエミュレータを既に有している場合は固有のＯＳ及び前記のみを、また、前記コンピュータに適合するエミュレータが前記情報記憶部に存在しない場合は通信回線を介してソフト提供会社にオートコールして当該適合するエミュレータをダウンロードし、前記情報記憶部から固有のＯＳを読み出し、
読み出したＯＳまたは固有のＯＳとエミュレータまたはダウンロードしたエミュレータを実行することを特徴とするコンピュータシステム。
【手続補正２】
【補正対象書類名】明細書
【補正対象項目名】０００６
【補正方法】変更
【補正の内容】
【０００６】
前述の課題を解決するため本発明は、以下のような特徴的な構成を採用している。
情報記憶部と電子回路を有する記憶媒体がコンピュータに装着されるコンピュータシステムであって、
前記情報記憶部は、固有のＯＳと、該固有のＯＳを特定のコンピュータ機種で実行できるようにするためのエミュレータであって、前記複数のコンピュータ機種のそれぞれに適合する複数のエミュレータ及び前記記憶媒体のフォーマットを記憶し、
前記電子回路は、情報処理手段と、前記情報記憶部の内容の一覧を保持するメモリを有し、
前記コンピュータへの前記記憶媒体の装着時に、前記情報処理手段は前記メモリから読み出した一覧を前記コンピュータに送出し、前記コンピュータが前記一覧を表示することに応答し、固有のＯＳへの変更指示があったとき、自機種に適合するエミュレータを既に有している場合は固有のＯＳ及び前記のみを、また、前記コンピュータに適合するエミュレータが前記情報記憶部に存在しない場合は通信回線を介してソフト提供会社にオートコールして当該適合するエミュレータをダウンロードし、前記情報記憶部から固有のＯＳを読み出し、
読み出したＯＳまたは固有のＯＳとエミュレータまたはダウンロードしたエミュレータを実行するコンピュータシステム。
【手続補正書】
【提出日】平成18年3月22日(2006.3.22)
【手続補正１】
【補正対象書類名】特許請求の範囲
【補正対象項目名】全文
【補正方法】変更
【補正の内容】
【特許請求の範囲】
【請求項１】
情報記憶部と無線通信部を含む電子回路を有する記憶媒体がコンピュータに装着されるコンピュータシステムであって、
前記情報記憶部は、固有のＯＳと、該固有のＯＳを特定のコンピュータ機種で実行できるようにするためのエミュレータであって、前記複数のコンピュータ機種のそれぞれに適合する複数のエミュレータを記憶し、
前記電子回路は、情報処理手段と、前記情報記憶部の内容の一覧を保持するメモリを有し、
前記コンピュータへの前記記憶媒体の装着時に、前記情報処理手段は前記メモリから読み出した一覧を前記コンピュータに送出し、前記コンピュータが前記一覧を表示することに応答し、固有のＯＳへの変更指示があったとき、自機種に適合するエミュレータを既に有している場合は固有のＯＳのみを読み出し、また、有していない場合は前記電子回路の前記無線通信部により通信回線を介してソフト提供会社にオートコールして当該適合するエミュレータをダウンロードし、前記コンピュータは前記情報記憶部から読み出したＯＳまたは固有のＯＳとエミュレータまたは前記ダウンロードしたエミュレータを実行することを特徴とするコンピュータシステム。
【手続補正２】
【補正対象書類名】明細書
【補正対象項目名】０００６
【補正方法】変更
【補正の内容】
【０００６】
前述の課題を解決するため本発明は、以下のような特徴的な構成を採用している。
情報記憶部と無線通信部を含む電子回路を有する記憶媒体がコンピュータに装着されるコンピュータシステムであって、
前記情報記憶部は、固有のＯＳと、該固有のＯＳを特定のコンピュータ機種で実行できるようにするためのエミュレータであって、前記複数のコンピュータ機種のそれぞれに適合する複数のエミュレータを記憶し、
前記電子回路は、情報処理手段と、前記情報記憶部の内容の一覧を保持するメモリを有し、
前記コンピュータへの前記記憶媒体の装着時に、前記情報処理手段は前記メモリから読み出した一覧を前記コンピュータに送出し、前記コンピュータが前記一覧を表示することに応答し、固有のＯＳへの変更指示があったとき、自機種に適合するエミュレータを既に有している場合は固有のＯＳのみを読み出し、また、有していない場合は前記電子回路の前記無線通信部により通信回線を介してソフト提供会社にオートコールして当該適合するエミュレータをダウンロードし、前記コンピュータは前記情報記憶部から読み出したＯＳまたは固有のＯＳとエミュレータまたは前記ダウンロードしたエミュレータを実行するコンピュータシステム。